(57)【特許請求の範囲】
【請求項１】
ブラケットにケーブルを固定するためのケーブルの端末固定装置において、
前記ブラケットに形成された開口部と、
この開口部に差し込まれ、中心部にインナーケーブルを挿通する雄ねじ部を有するソケット部材と、
前記ブラケットの開口部の周辺部を挟むようにして前記ソケット部材の雄ねじ部に締結されるナット部と、
前記ナット部を常に締め付け方向に付勢するための付勢部材とを有し、
前記ソケット部材には、摘み用の突起部が形成され、固定操作に際しては該突起部と前記付勢部材の一端部とを摘みつつ、前記ナット部を一旦緩み方向に微回動してから解放するようにしていることを特徴とするケーブルの端末固定装置。
【請求項２】
請求項１に記載のケーブルの端末固定装置において、前記付勢部材は捩りスプリングであり、この一端部は前記ソケット部材に固定され、他端部は前記ナット部の外側面に形成された切欠部に係脱可能に係合するようになっていることを特徴とするケーブルの端末固定装置。
【請求項３】
請求項１または請求項２に記載のケーブルの端末固定装置において、前記ブラケットの開口部には一対の凹部が形成され、前記ソケット部材には該凹部に係合して抜け止めをなす突部が形成されていることを特徴とするケーブルの端末固定装置。
【請求項４】
ブラケットにケーブルを固定するためのケーブルの端末固定装置において、
前記ブラケットに形成された開口部と、
この開口部に差し込まれ、中心部にインナーケーブルを挿通する雄ねじ部を有するソケット部材と、
前記ブラケットの開口部の周辺部を挟むようにして前記ソケット部材の雄ねじ部に締結されるナット部と、
前記ナット部を常に締め付け方向に付勢するための付勢部材とを有し、
前記ソケット部材には、前記付勢部材の中間部を該付勢部材が蓄勢状態に保持されるように係合する引掛け部が設けられ、前記ナット部の外周面部には、前記付勢部材の他端部を受ける切欠部とが形成され、前記ブラケットへの取付けに伴い前記付勢部材の中間部を前記引掛け部から外して前記付勢部材の蓄勢力により前記ナット部を前記雄ねじ部に締め付け方向に回転させるようにしたことを特徴とするケーブルの端末固定装置。
【請求項５】
請求項１ないし請求項４に記載のケーブルの端末固定装置において、車両内の遠隔操作用のコントロールケーブルに適用されていることを特徴とするケーブルの端末固定装置。
【発明の詳細な説明】
【０００１】
【発明の属する技術分野】
本発明は、車両内の遠隔操作用のコントロールケーブル等をブラケットに固定するための固定構造に改良を加えたケーブルの端末固定装置に関する。
【０００２】
【従来の技術】
この種のケーブルの端末固定装置にあっては、一例として図１３に示すものがある。この固定装置においては、スリーブ１００ｂ内にインナーケーブル１００ａを挿通した円柱状のソケット部材１００が設けられ、これには、左端部にフランジ部１０１、１０２が形成されている。このフランジ部１０１、１０２はブラケット１０３の開口部１０４の外周縁１０４ａに嵌め込むようにしている。この状態で、波形に湾曲するワッシャー１０５を専用工具としてのハンマー（図示せず）により、弾性変形を伴なわせながらブラケット１０３とフランジ部１０１の間に打ち込む。もって、ソケット部材１００をブラケット１０３に強固に取り付けている。
また、欧州特許出願公開公報第０７０３３９５号（１９９５年８月２４日出願、１９９６年３月２７日公開）には、環状部材用の固定装置が開示されている。この固定装置では、円柱体を内壁部に固定するのにガイド、可動体および弾性体を用いて固定するようにしている。
【０００３】
【発明が解決しようとする課題】
ところが、図１３の固定装置ではワッシャー１０５は、ブラケット１０３とフランジ部１０１とに常に弾接しているため、長期の使用に伴い高温下のクリープ現象などに起因する応力弛緩（リラクセーション）により弾接力が減少することが予想される。
このようにワッシャー１０５の弾接力が減少すると、ソケット部材１００ががたついて振動の原因になったり、場合によってはソケット部材１００がブラケット１０３から外れ易くなり、正規のケーブル経路を維持することができなくなることが考えられる。
また、環状部材用の固定装置においても、図１３に示すものと同様の問題を有している。
本発明は、これらの事情を背景になされたもので、その目的は、工具を用いずとも、比較的簡単な操作でソケット部材をブラケットに迅速に固定でき、それでいて振動、クリープ現象や応力弛緩などに十全に対処でき、外れたり脱落することなくソケット部材のブラケットに対する固定状態を長期にわたって維持できるといった優れたケーブルの端末固定装置を提供することにある。
【０００４】
【課題を解決するための手段】
この発明は、ブラケットにケーブルを固定するためのケーブルの端末固定装置において、前記ブラケットに形成された開口部と、この開口部に差し込まれ、中心部にインナーケーブルを挿通する雄ねじ部を有するソケット部材と、前記ブラケットの開口部の周辺部を挟むようにして前記ソケット部材の雄ねじ部に締結されるナット部と、前記ナット部を常に締め付け方向に付勢するための付勢部材とを有し、前記ソケット部材には、摘み用の突起部が形成され、固定操作に際しては該突起部と前記付勢部材の一端部とを摘みつつ、前記ナット部を一旦緩み方向に微回動してから解放することを特徴とする。
本発明のケーブルの端末固定装置においては、前記付勢部材は捩りスプリングであり、この一端部は前記ソケット部材に固定され、他端部は前記ナット部の外側面に形成された切欠部に係脱可能に係合することを特徴とする。
さらに、本発明のケーブルの端末固定装置においては、前記ブラケットの開口部には一対の凹部が形成され、前記ソケット部材には該凹部に係合して抜け止めをなす突部が形成されていることを特徴とする。
前記ソケット部材には、前記付勢部材の中間部を該付勢部材が蓄勢状態に保持されるように係合する引掛け部が設けられ、前記ナット部の外周面部には、前記付勢部材の他端部を受ける切欠部とが形成され、前記ブラケットへの取付けに伴い前記付勢部材の中間部を前記引掛け部から外して前記付勢部材の蓄勢力により前記ナット部を前記雄ねじ部に締め付け方向に回転させることを特徴とする。
本発明のケーブルの端末固定装置においては、車両内の遠隔操作用のコントロールケーブルに適用していることを特徴とする。
【０００５】
【発明の作用および効果】
（１）本発明のケーブルの端末固定装置によれば、ブラケットに固定時には、雄ねじ部にナット部を締結すると、付勢部材によりナット部が常に締め付け方向に付勢される。
このように、ナット部の緩みが付勢部材の増し締めトルクで除去されるため、振動、クリープ現象や応力弛緩などに十全に対処でき、ソケット部が脱落することなく、ソケット部材のブラケットに対する良好な固定状態を長期にわたって維持することができる。
（２）本発明では、付勢部材として捩りスプリングを用い、この一端部をナット部の切欠部に係脱可能に係合する構成である。
このため、ソケット部材の固定にあたっては、捩りスプリングを一旦すぼめて放すだけの簡単なワンタッチ操作で済み、特別な工具を必要とせず迅速な作業性を確保することができる。
（３）とりわけ、本発明では、ソケット部材に摘み用の突起部を形成し、固定操作に際しては該突起部と付勢部材（捩りスプリング）の一端部とを摘みつつ、ナット部を一旦緩み方向に微回動してから解放するようにしている。このため、固定操作にあたっては、突起部と付勢部材とを摘んで放すだけで済み、一層簡易で迅速な作業性が得られる。
（４）ソケット部材のブラケットに対する固定時には、ブラケットの開口部に形成した凹部には、ソケット部材の突部が係合して抜け止めをなす。この構成からも、振動によるソケット部材のブラケットに対する脱落防止効果が図られる。
（５）付勢部材（捩りコイルスプリング）の中間部が引掛け部に仮止め状態に保持され、取付けに伴ってこの中間部がブラケットの所定部位に当たって引掛け部から外れる構成にしている。このため、ブラケットへの取り付けにあたっては付勢部材をすぼめるなどの操作をする必要が全くなく、純然たるワンタッチ操作で済み、取り付け操作が一層迅速かつ容易となる。
しかも、取り付け時には、仮止め状態が解除されて付勢部材の中間部が引掛け部から外れる構成のため、これに伴う解放反力と解除音とにより節度感が生じ、取り付けの完了を認識し易くなる。
【０００６】
【発明の実施の形態】
次に各図を参照して本発明の各実施例を説明する。
まず、本発明の第１実施例であるケーブルの端末固定装置は、例えば車両のトランスミッション用のコントロールケーブルに適用されている。
図１、図２および図３（ａ）、（ｂ）、（ｃ）において、１は後述するブラケット２に固定されるケーブルの端末固定装置である。このケーブルの端末固定装置１において、３はソケット部材で、これは左側の径大な頭部３ａと右側の径小な雄ねじ部３ｂとから成り、中心部にはアイロッド４ａに連結されたトランスミッション用のインナーケーブル４がスリーブ４ｂを介して挿通されている。
【０００７】
５、５は一対の突部で、これらはソケット部材の頭部３ａと雄ねじ部３ｂとの段部境界面３ｃにおいて、頭部３ａの右端面の外周縁部に径方向に対向するように形成されている（明確には図３の（ｂ）参照）。
６はナット部で、これはソケット部材３の雄ねじ部３ｂに螺進退可能に装着されている。
【０００８】
７は付勢部材としての捩りスプリング（図４の（ａ）、（ｂ）参照）で、この一端部７ａはソケット部材３の頭部３ａに固定され、中間部を円周溝８に沿わせている。そして、この捩りスプリング７の他端部はフック部７ｂをなし、ナット部６の外側面に形成した切欠部９に係脱可能に係合するようになっている。そして、捩りスプリング７のフック部７ｂがナット部６の切欠部９に係合した時には、ナット部６が雄ねじ部３ｂを介してブラケット２に対して締め付ける方向に回転付勢されるようになっている。
【０００９】
さて、ブラケット２は、図５に示すように金属板から形成されたもので、車両内の所定の位置に立設されている。１０は略Ｕ字状に形成された開口部で、これはソケット部材３の頭部３ａに対応するものである。この開口部１０は、ブラケット２に上下方向に切り欠き状態に形成され、上端部は開放されるとともに上方に漸次拡開するテーパー状の案内部１０ａを形成している。
【００１０】
１１、１１は一対の凹部で、これはソケット部材３の頭部３ａに形成した突部５、５に対応する。これら凹部１１、１１は、開口部１０のうち下方の半円部の左右両側に水平方向に対向するように形成されている。
【００１１】
しかして、インナーケーブル４を有するソケット部材３をブラケット２に固定するにあたっては、先ずナット部６を雄ねじ部３ｂに仮止めした状態（図６）でソケット部材３をブラケット２の案内部１０ａを介して開口部１０の半円部に装着する（図７）。
この場合、雄ねじ部３ｂの仮止めは、ブラケット２の厚さを考慮に入れつつ、締め付けまでに１．０ｍｍ程度の余裕を残しておく。そして、頭部３ａの突部５が開口部１０の凹部１１に嵌まるように位置させ、抜け止め状態を確保する。
【００１２】
ついで、ナット部６をブラケット２を介してブラケット２の開口部１０の外周縁部１０ｂに対して締め付ける。その後、捩りスプリング７のフック部７ｂを図７に示す如く、ばねの増しトルク方向に回転してナット部６の切欠部９に係合させる。
そして、フック部７ｂを放すと、ナット部６は捩りスプリング７により常にブラケット２に対して締め付け方向に回転付勢される。このため、振動、クリープや応力弛緩などに起因するナット部６の緩みが捩りスプリング７の増し締めトルクにより除去される。もって、ソケット部材３のブラケット２に対する良好な固定状態を長期にわたって維持することができる。
【００１３】
図８は本発明の第２実施例を示す。この実施例が第１実施例と異なるところはソケット部材３に突起部１２を設けたことである。
この突起部１２は、全体的には略横Ｌ字状をなし、垂直腕部１２ａと水平腕部１２ｂとから成る。この垂直腕部１２ａは、ソケット部材３の外表面に立設され、水平腕部１２ｂはナット部６の表面部まで伸びて、捩りスプリング７のフック部７ｂに対向している。
なお、この突起部１２は別体のものばかりでなく、ソケット部材３に一体に成形したものであってもよい。
【００１４】
この第２実施例において、ソケット部材３をブラケット２に固定するにあたっては下記の手順で行う。
すなわち、捩りスプリング７のフック部７ｂを予めナット部６の切欠部９に係合させた状態で、突起部１２の水平腕部１２ｂを手の指の支えとして摘む動作によりブラケット２の厚さに１ｍｍ程度の余裕を残した位置でナット部６を緩める（図８の二点鎖線から実線で示す位置まで）。
この状態で、ソケット部材３を第１実施例と同様にナット部６の案内部１０ａを介して開口部１０に嵌め込む。
ついで、突起部１２との摘み動作を解く。これに伴いナット部６は、第１実施例で説明したように捩りスプリング７のばね力により締付け方向に回転付勢される。
【００１５】
図９、図１０、図１１および図１２は本発明の第３実施例を示す。
この第３実施例では、第１実施例（図１ないし図７）と同一部分には同一符号を付して異なる部分のみ説明する。先ず、図９の（ａ）、（ｂ）、（ｃ）に示すように付勢部材として捩りコイルスプリング（クリップ）２０が設けられている。
この捩りコイルスプリング２０は、ソケット部材３の中心部分に固定された一端部２０ａと円周溝８内に位置する円形の蓄勢部２０ｂと段部境界面３ｃを横断する段状部２０ｃからなる。この段状部２０ｃは、中間部としての基底段部２０ｄと他端部としての上段部２０ｅとを備える。この段状部２０ｃにおける基底段部２０ｄは、図１０に示すように段部境界面３ｃの外周面３ｄに形成された突状の引掛け部２１に仮止め状態に保持され、円形の蓄勢部２０ｂを引き締めて蓄勢状態にしている。
【００１６】
この一方、雄ねじ部３ｂに螺合されたナット部６の外周面部には、口唇状の突出部２２が形成されている。そして、突出部２２における上下唇部２２ａ、２２ｂ間に形成された窪みを切欠部２３としている。この切欠部２３は、段状部２０ｃの基底段部２０ｄから延出された上段部２０ｅを着脱可能に受け入れている。この時には、ナット部６は雄ねじ部３ｂに対して所定のトルクで正常な締め付けまでには１／４回転（距離では１．０ｍｍ）程度の緩み状態にある。
【００１７】
図１２は、逆鍵穴状の開口部２４ａを有するブラケット２４であり、本装置１におけるソケット部材３を開口部２４ａに取り付けるにあたっては、図１０の（ａ）に示すように段部境界面３ｃとナット部６の間にブラケット２４を差し入れる。すると、基底段部２０ｄと上段部２０ｅとを連接する桟部２０ｆがブラケット２４の開口上縁部２４ｂに当たり、基底段部２０ｄがばね力に抗して上方に変位し、引掛け部２１から外れる。
これにより、捩りコイルスプリング２０の段状部２０ｃは、一時的に外方に変位するものの、切欠部２３の深さは長寸のため上段部２０ｅは切欠部２３内に位置したままで外方に外れることがない。このため、捩りコイルスプリング２０の  蓄勢部２０ｂの蓄勢力により、ナット部６が上段部２０ｅを介して図１０の（ａ）、（ｂ）に示す位置から図１１の（ａ）、（ｂ）に示す位置まで時計方向に回転  する。この蓄勢力によりナット部６は、ブラケット２４に対して常に締め付け方  向に回転付勢されている。
また、本装置１におけるソケット部材３をブラケット２４から取り外すにあたっては、上記と逆の手順を辿ればよい。
【００１８】
この第３実施例では、第１実施例の効果に加えて下記の効果が得られる。
（あ）捩りコイルスプリング２０の基底段部２０ｄが引掛け部２１に仮止め状態に保持され、取付けに伴ってこの基底段部２０ｄがブラケット２４の開口上縁部２４ｂに当たって引掛け部２１から外れる構成にしている。このため、ブラケット２４への取り付けにあたっては捩りコイルスプリング２０をすぼめるなどの操作をする必要がなくなり、純然たるワンタッチ操作で済み、取り付け操作が一層迅速かつ容易となる。
（い）しかも、取り付け時には、仮止め状態が解除され基底段部２０ｄが上方に変位して引掛け部２１から外れる構成のため、これに伴う解放反力と解除音により節度感が生じ、取り付けの完了を認識し易くなる。
【００１９】
［変形例］
なお、ソケット部材３の頭部３ａに形成した突部５やブラケット２の凹部１１の幾何学的形状は楕円、円形、菱形、三角形、瓢箪形、多角形など必要に応じて任意に変更できる。
【００２０】
また、具体的な実施においては、ブラケット２の形状は、適宜な加工により必要に応じて種々変更できるものである。
【００２１】
さらに、ソケット部材３には突部５を形成し、ブラケット２の開口部１０には凹部１１を設けたが、逆にソケット部材３には凹部１１を形成し、ブラケット２の開口部１０には該凹部１１に嵌まる突部を設けてもよい。
【００２２】
また、使用状況などに応じて捩りコイルスプリング２０の蓄勢部２０ｂの巻回数を大小変更して、蓄勢力を所望に調節することができる。
【００２３】
また、捩りコイルスプリング２０の上段部２０ｅは、切欠部２３に着脱可能に受納させる構成ばかりではなく、ナット部６に固定させるようにしてもよい。
【００２４】
また、ナット部６の外形は円形に限れず、六角などの多角形であってもよい。
【００２５】
また、ソケット部材３における雄ねじ部３ｂは、螺旋溝に複数のボールを滑動させる構成のボール螺子であってもよい。
【００２６】
加えて、本発明に係るケーブルの端末固定装置１は、車両などのトランスミッション用のコントロールケーブルばかりではなく、窓や蓋の開閉の際などにケーブルの遠隔的操作を必要とするもの一般に広く適用できる。
【図面の簡単な説明】
【図１】本発明の第１実施例において、ケーブルの端末固定装置において、特に捩りスプリングの作動を説明するためにナット部とともに示すソケット部材の平面図である。
【図２】ソケット部材をブラケットに固定する操作におけるナット部とともに示すソケット部材の平面図である。
【図３】（ａ）はソケット部材の平面図で、（ｂ）はソケット部材の右端側面図で、（ｃ）は（ａ）中のＡ−Ａ線に沿う縦断面図である。
【図４】（ａ）は捩りスプリングの側面図であり、（ｂ）は捩りスプリングの正面図である。
【図５】ブラケットを示す正面図である。
【図６】ソケット部材をブラケットに固定する操作における手順を示す拡大分解斜視図である。
【図７】ソケット部材のブラケットに対する固定状態を示す拡大斜視図である。
【図８】本発明の第２実施例において、ソケット部材をブラケットに固定する操作における手順を示す拡大分解斜視図である。
【図９】本実施例の第３実施例における捩じりコイルスプリングを示し、（ａ）は要部の上面図、（ｂ）は側面図、（ｃ）は正面図である。
【図１０】ケーブル末端固定装置の取り付け始める状態を示し、（ａ）は斜視図で（ｂ）はナット部材の正面図である。
【図１１】ケーブル末端固定装置の取り付け完了状態を示し、（ａ）は斜視図で（ｂ）はナット部材の正面図である。
【図１２】ケーブル末端固定装置が取り付けられるブラケットの斜視図である。
【図１３】従来のケーブルの端末固定装置における固定構造を示す分解斜視図である。
【符号の説明】
１  ケーブルの端末固定装置
２  ブラケット
３  ソケット部材
３ａ  頭部
３ｂ  雄ねじ部
５  突部
６  ナット部
７  捩りスプリング（付勢部材）
７ａ  捩りスプリングのフック部
９  切欠部
１０  開口部
１０ａ  案内部
１１  凹部
１２  摘み用の突起部
１２ａ  垂直腕部
１２ｂ  水平腕部
２０  捩りコイルスプリング（付勢部材）
２０ｄ  基底段部（中間部）
２０ｅ  上段部（他端部）
２１  引掛け部
２３  切欠部
２４  ブラケット
２４ａ  開口部
２４ｂ  開口上縁部（所定部位）
【図１】
0004368019.tif 000002
【図２】
0004368019.tif 000003
【図３】
0004368019.tif 000004
【図４】
0004368019.tif 000005
【図５】
0004368019.tif 000006
【図６】
0004368019.tif 000007
【図７】
0004368019.tif 000008
【図８】
0004368019.tif 000009
【図９】
0004368019.tif 000010
【図１０】
0004368019.tif 000011
【図１１】
0004368019.tif 000012
【図１２】
0004368019.tif 000013
【図１３】
0004368019.tif 000014